(57)【要約】【課題】住民のプライバシーやセキュリティを向上させることのできるエレベータ制御システムを提供する。【解決手段】エレベータ籠２には、一対の扉３と操作盤１０を備える。玄関フロア６０には、住民を認証する認証機５を備える。居住フロア７０には、一対のエレベータ乗降口７３と、各エレベータ乗降口７３を居宅玄関７２につなぐ廊下７４を備える。操作盤１０には、各居住フロア７０のエレベータ乗降口７３に対応する登録ボタン１１を配列する。そして、玄関フロア６０の認証機５で住民を認証したときに、その住民の居宅玄関７２とつながるエレベータ乗降口７３に対応する登録ボタン１１が、所定時間内だけ行き先として登録可能となり、エレベータ籠２が着床したときには、そのエレベータ乗降口７３に対応する側の扉３が、開放されるように設ける。【選択図】図１
2012091924.tif 000002
【特許請求の範囲】
【請求項１】
複数の居宅が位置する居住フロアと玄関フロアとの間を上下移動するようにエレベータ籠を設置した集合住宅のエレベータ制御システムであって、
エレベータ籠には、互いに別方向にむけて開放される複数の扉と、エレベータ籠の行き先を登録する操作盤とを備え、
玄関フロアには、各居宅の住民を認証する認証機を備え、
居住フロアには、エレベータ籠の各扉が開放される位置に一対一で設置される複数のエレベータ乗降口と、各エレベータ乗降口を対応する居宅の居宅玄関につなぐ廊下とを備え、
エレベータ籠の操作盤には、各居住フロアの複数のエレベータ乗降口に一対一で対応する登録ボタンを配列し、
玄関フロアの認証機で住民を認証したときに、その住民の居宅玄関とつながるエレベータ乗降口に対応する登録ボタンが、所定時間内だけ行き先として登録可能となり、登録操作後に、その住民の居住フロアにエレベータ籠が着床したときには、その住民の居宅玄関とつながるエレベータ乗降口側の扉が、開放されるように設けた
ことを特徴とするエレベータ制御システム。
【請求項２】
エレベータ籠内にも、各居宅の住民を認証する認証機を備え、
エレベータ籠の操作盤では、エレベータ籠内の認証機で住民を認証したときに、その住民の居宅玄関とつながるエレベータ乗降口に対応する登録ボタンが、所定時間内だけ操作可能となるように設けた
ことを特徴とする請求項１に記載のエレベータ制御システム。
【請求項３】
エレベータ籠内にも、各居宅の住民を認証する認証機を備え、
集合住宅は、住民用の共用スペースが位置する共用フロアを有し、
エレベータ籠の操作盤では、エレベータ籠内の認証機で住民を認証したときに、共用フロアのエレベータ乗降口に対応する登録ボタンが、行き先として登録可能となるように設けた
ことを特徴とする請求項１又は２に記載のエレベータ制御システム。
【請求項４】
エレベータ籠の操作盤では、玄関フロアに対応する登録ボタンを、認証機での認証結果に関わらず、行き先として登録可能に設けている
ことを特徴とする請求項１〜３のいずれか一項に記載のエレベータ制御システム。
【請求項５】
各居宅の住民を認証する認証機は、居宅ごとに設けた専用のカードキーのデータを読み取るカードリーダである
ことを特徴とする請求項１〜４のいずれか一項に記載のエレベータ制御システム。
【請求項６】
各居宅には、インターホンと訪問許可ボタンとを備え、
玄関フロアには、各居宅のインターホンと通話可能な集合玄関機を備え、
各居宅の訪問許可ボタンを操作したときに、その居宅の居宅玄関とつながるエレベータ乗降口に対応した登録ボタンが、所定時間内だけ操作盤で行き先として登録可能となり、登録操作後に、その住民の居住フロアにエレベータ籠が着床したときには、その住民の居宅玄関とつながるエレベータ乗降口側の扉が、開放されるように設けた
ことを特徴とする請求項１〜５のいずれか一項に記載のエレベータ制御システム。
【請求項７】
エレベータ籠には扉を一対備え、居住フロアには、エレベータ籠の各扉が開放される位置に、エレベータ乗降口を一対備えた
ことを特徴とする請求項１〜６のいずれか一項に記載のエレベータ制御システム。
【請求項８】
集合住宅は、単一居宅が位置する単一居住フロアをさらに有し、
この単一居住フロアには、エレベータ籠の各扉が開放される位置に一対一で設置される複数のエレベータ乗降口と、各エレベータ乗降口を単一居宅が有する居宅玄関と第二玄関のいずれかにつなぐ廊下とを備え、
エレベータ籠の操作盤には、単一居住フロアの複数のエレベータ乗降口に一対一で対応する登録ボタンを配列し、
玄関フロアの認証機で単一居宅の住民を認証したときには、その住民の居宅玄関とつながるエレベータ乗降口に対応する登録ボタンが、優先的に自動登録されるように設けた
ことを特徴とする請求項１〜７のいずれか一項に記載のエレベータ制御システム。
【請求項９】
エレベータ籠には扉を一対備え、単一居住フロアには、エレベータ籠の各扉が開放される位置に、エレベータ乗降口を一対備えた
ことを特徴とする請求項８に記載のエレベータ制御システム。
【発明の詳細な説明】
【技術分野】
【０００１】
本発明は、集合住宅のエレベータ制御システムに関する。
【背景技術】
【０００２】
マンション等の集合住宅においては、一般的に、複数の居宅が位置する居住フロアと、玄関フロアとの間を移動するために、エレベータ籠が上下動自在に設置されている。このエレベータ籠として、近年は、互いに別方向にむけて開放される複数（例えば一対）の扉を備え、それぞれの扉が専用のエレベータ乗降口につながるように設けたものがある（特許文献１参照）。各居宅の住民は、自宅玄関からつながるエレベータ乗降口を利用することができる。
【先行技術文献】
【特許文献】
【０００３】
【特許文献１】特開平１１−１７１４４２号公報
【発明の概要】
【発明が解決しようとする課題】
【０００４】
前記のエレベータを備える集合住宅では、他のエレベータ乗降口に降りること自体は自由である。つまり、集合住宅の住民が、自宅につながるエレベータ乗降口以外の他のエレベータ乗降口に降りることは、特に制限されない。また、ある居宅を訪ねた客が、その居宅につながるエレベータ乗降口以外の他のエレベータ乗降口に降りることも、特に制限されない。そのため、プライバシーやセキュリティを保つという点では不十分である。
【０００５】
本発明は前記問題点に鑑みて発明したものであって、住民のプライバシーやセキュリティを向上させることのできるエレベータ制御システムを提供することを、課題とする。
【課題を解決するための手段】
【０００６】
前記課題を解決するため、本発明のエレベータ制御システムを、下記の特徴を備えたものとする。
【０００７】
本発明のエレベータ制御システムは、複数の居宅が位置する居住フロアと玄関フロアとの間を上下移動するようにエレベータ籠を設置した集合住宅のエレベータ制御システムであって、エレベータ籠には、互いに別方向にむけて開放される複数の扉と、エレベータ籠の行き先を登録する操作盤とを備え、玄関フロアには、各居宅の住民を認証する認証機を備え、居住フロアには、エレベータ籠の各扉が開放される位置に一対一で設置される複数のエレベータ乗降口と、各エレベータ乗降口を対応する居宅の居宅玄関につなぐ廊下とを備え、エレベータ籠の操作盤には、各居住フロアの複数のエレベータ乗降口に一対一で対応する登録ボタンを配列し、玄関フロアの認証機で住民を認証したときに、その住民の居宅玄関とつながるエレベータ乗降口に対応する登録ボタンが、所定時間内だけ行き先として登録可能となり、登録操作後に、その住民の居住フロアにエレベータ籠が着床したときには、その住民の居宅玄関とつながるエレベータ乗降口側の扉が、開放されるように設けたことを特徴とする。
【０００８】
また、エレベータ籠内にも、各居宅の住民を認証する認証機を備え、エレベータ籠の操作盤では、エレベータ籠内の認証機で住民を認証したときに、その住民の居宅玄関とつながるエレベータ乗降口に対応する登録ボタンが、所定時間内だけ操作可能となるように設けたことを、更なる特徴としてもよい。
【０００９】
また、エレベータ籠内にも、各居宅の住民を認証する認証機を備え、集合住宅は、住民用の共用スペースが位置する共用フロアを有し、エレベータ籠の操作盤では、エレベータ籠内の認証機で住民を認証したときに、共用フロアのエレベータ乗降口に対応する登録ボタンが、行き先として登録可能となるように設けたことを、更なる特徴としてもよい。
【００１０】
また、エレベータ籠の操作盤では、玄関フロアに対応する登録ボタンを、認証機での認証結果に関わらず、行き先として登録自由に設けていることを、更なる特徴としてもよい。
【００１１】
また、各居宅の住民を認証する認証機は、居宅ごとに設けた専用のカードキーのデータを読み取るカードリーダであることを、更なる特徴としてもよい。
【００１２】
また、各居宅には、インターホンと訪問許可ボタンとを備え、玄関フロアには、各居宅のインターホンと通話可能な集合玄関機を備え、各居宅の訪問許可ボタンを操作したときに、その居宅の居宅玄関とつながるエレベータ乗降口に対応した登録ボタンが、所定時間内だけ操作盤で行き先として登録可能となり、登録操作後に、その住民の居住フロアにエレベータ籠が着床したときには、その住民の居宅玄関とつながるエレベータ乗降口側の扉が、開放されるように設けたことを、更なる特徴としてもよい。
【００１３】
また、エレベータ籠には扉を一対備え、居住フロアには、エレベータ籠の各扉が開放される位置に、エレベータ乗降口を一対備えたことを、更なる特徴としてもよい。
【００１４】
また、集合住宅は、単一居宅が位置する単一居住フロアをさらに有し、この単一居住フロアには、エレベータ籠の各扉が開放される位置に一対一で設置される複数のエレベータ乗降口と、各エレベータ乗降口を単一居宅が有する居宅玄関と第二玄関のいずれかにつなぐ廊下とを備え、エレベータ籠の操作盤には、単一居住フロアの複数のエレベータ乗降口に一対一で対応する登録ボタンを配列し、玄関フロアの認証機で単一居宅の住民を認証したときには、その住民の居宅玄関とつながるエレベータ乗降口に対応する登録ボタンが、優先的に自動登録されるように設けたことを、更なる特徴としてもよい。
【００１５】
このとき、エレベータ籠には扉を一対備え、単一居住フロアには、エレベータ籠の各扉が開放される位置に、エレベータ乗降口を一対備えたことを、更なる特徴としてもよい。
【発明の効果】
【００１６】
本発明によれば、集合住宅に備えたエレベータ籠の制御によって、集合住宅の住民のプライバシーやセキュリティを向上させることができるという効果を奏する。
【図面の簡単な説明】
【００１７】
【図１】本発明の一実施形態のエレベータ制御システムの概略構成図である。
【図２】同上のエレベータ制御システムを用いた集合住宅の地下１階フロアの平面図である。
【図３】同上の集合住宅の１階フロアの平面図である。
【図４】同上の集合住宅の２、３階フロアの平面図である。
【図５】同上の集合住宅の４階フロアの平面図である。
【図６】同上の集合住宅の５階フロアの平面図である。
【図７】同上の集合住宅のエレベータ籠内の制御盤の正面図である。
【図８】住民が帰宅するケースのエレベータ制御を示す説明図である。
【図９】５階の住民が帰宅するケースのエレベータ制御フローを示す説明図である。
【図１０】住民が外出するケースのエレベータ制御フローを示す説明図である。
【図１１】住民が他の居宅を訪問するケースのエレベータ制御フローを示す説明図である。
【図１２】客が居宅を訪問するケースのエレベータ制御フローを示す説明図である。
【図１３】客が居宅を訪問する他ケースのエレベータ制御フローを示す説明図である。
【図１４】客が５階の居宅を訪問するケースのエレベータ制御フローを示す説明図である。
【発明を実施するための形態】
【００１８】
図１〜図１４は、本発明の一実施形態のエレベータ制御システムについて示している。
【００１９】
図１には、本実施形態のエレベータ制御システムの構成を、概略的に示している。図２〜図６には、本実施形態のエレベータ制御システムを用いてエレベータ制御を行う集合住宅の、各階フロアを示している。図７には、エレベータ籠内の制御盤を示している。図８〜図１４には、本実施形態のエレベータ制御システムでのエレベータ制御を、状況に分けてフローで示している。以下においては、これら添付図面に基づいて、本実施形態のエレベータ制御システムについて説明する。
【００２０】
まず、集合住宅の基本的な構造について説明する。この集合住宅は、地下１階のフロアと、１階〜５階のフロアを有するマンションである。図２に示す地下１階が、玄関フロア６０である。玄関フロア６０には、マンション出入口５０に通じる風除室６１、風除室６１に集合玄関扉１を介してつながるエントランス６２、エントランス６２につながるエレベータホール６３、エレベータホール６３に設けたエレベータ乗降口６４、等が位置する。
【００２１】
図３〜図６に示す１階〜５階が、住民の居住する居住フロア７０である。各居住フロア７０には、一つ又は複数の居宅７１が位置し、各居宅７１の居宅玄関７２が、その居宅玄関７２と対応するエレベータ乗降口７３に廊下７４を介してつながっている。
【００２２】
図３に示す１階の居住フロア７０は、部屋番号「１０１」〜「１０４」の四軒の居宅７１を有する。同様に、図４に示す２階、３階の居住フロア７０は、それぞれ部屋番号「２０１」〜「２０４」、「３０１」〜「３０４」の四軒の居宅７１を有する。図５に示す４階の居住フロア７０は、部屋番号「４０１」、「４０２」の二軒の居宅７１を有し、図６に示す５階の居住フロア７０は、部屋番号「５０１」の単一の居宅７１を有する。
【００２３】
１階〜５階の各居住フロア７０には、一対のエレベータ乗降口７３を独立して設けている。また、各居住フロア７０には、エレベータ乗降口７３と一対一で対応するように、廊下７４を一対設けている。廊下７４同士は、建物構造により隔離させて設けている。
【００２４】
１階〜３階の居住フロア７０では、居宅７１が四軒である（図３、図４参照）。そのため、一つのエレベータ乗降口７３は、これに一対一で対応する一つの廊下７４につながり、その一つの廊下７４が二軒の居宅７１の居宅玄関７２につながるように設けている。これにより、一つのエレベータ乗降口７３および廊下７４が、二軒の居宅７１専用のものとして機能する。
【００２５】
４階の居住フロア７０では、居宅７１が二軒である（図５参照）。そのため、一つのエレベータ乗降口７３は、これに一対一で対応する一つの廊下７４につながり、その一つの廊下７４が一軒の居宅７１の居宅玄関７２につながるように設けている。これにより、一つのエレベータ乗降口７３および廊下７４が、一軒の居宅７１専用のものとして機能する。
【００２６】
５階の居住フロア７０では、居宅７１が一軒である（図６参照）。この単一の居宅７１（以下「単一居宅７１ａ」という。）は、居宅玄関７２とは別に第二玄関７５（勝手口）を有する。そのため、一つのエレベータ乗降口７３がこれに一対一で対応する一つの廊下７４につながり、その一つの廊下７４が、単一居宅７１ａの居宅玄関７２に専用でつながるように設けている。また、残り一つのエレベータ乗降口７３はこれに一対一で対応する一つの廊下７４につながり、その一つの廊下７４が、単一居宅７１ａの第二玄関７５に専用でつながるように設けている。これにより、一つのエレベータ乗降口７３および廊下７４が、単一居宅７１ａのメインのエントランス専用として機能し、もう一つのエレベータ乗降口７３および廊下７４が、単一居宅７１ａのサブエントランス専用として機能する。
【００２７】
これら複数の居住フロア７０と玄関フロア６０との間を上下移動するように、集合住宅の中央部にはエレベータ籠２を設置している。エレベータ籠２は、二方向から出入自在のタイプであり、一対の扉３を、互いに別方向（反対方向）にむけて開放されるように備えている。これらエレベータの制御は、図１に示すエレベータ制御部７により行う。
【００２８】
地下１階の玄関フロア６０では、エレベータ籠２の一対の扉３のうち一方が、エレベータホール６３のエレベータ乗降口６４にむけて開放される。１階〜５階の居住フロア７０では、一対の扉３のうち一方が、これに一対一で対応するエレベータ乗降口７３にむけて開放され、一対の扉３のうち他方が、これに一対一で対応する別のエレベータ乗降口７３にむけて開放される。つまり、開放される扉３によって、その扉３からエレベータ乗降口７３および廊下７４を通じて行き着くことのできる居宅玄関７２（又は第二玄関７５）が相違する。
【００２９】
以上、集合住宅の基本的な構造について述べた。以下においては、本実施形態のエレベータ制御システムをなす各構成について、さらに詳しく説明する。
【００３０】
図１、図２に示すように、玄関フロア６０の風除室６１には、集合玄関機４を設置している。この集合玄関機４には、各居宅７１の住民を認証する認証機５として、カードキー（図示略）のデータを非接触で読み取るカードリーダ６を接続させている。カードキーは居宅７１ごと専用に設けたものであり、そのカードキーのデータを読み取ることで、どの居宅（例えば「３０１」号室等）の住民であるかを認識することができる。
【００３１】
同様の認証機５は、玄関フロア６０のエレベータホール６３と、さらにエレベータ籠２内にも設置している。エレベータホール６３の認証機５は、“玄関フロア６０側の認証機５”をなすものであり、同様のカードリーダ６により構成される。エレベータ籠２内の認証機５は、操作盤１０に配置され、やはり同様のカードリーダ６により構成される（図７参照）。なお、認証機５としてはカードリーダ６に限定されず、各居宅７１の住民を認証できるものであれば、暗証番号入力、指紋認証等の他の方式の機器を用いてもよい。
【００３２】
エレベータ籠２内の操作盤１０は、図７に示すような多数の登録ボタン１１を配したものであり、これら登録ボタン１１を操作することで、行き先を登録することができる。登録ボタン１１は、１階〜５階の各居住フロア７０にある一対のエレベータ乗降口６４と一対一に対応する形で、マトリクス状に配列させている。
【００３３】
つまり、１階〜３階の居住フロア７０においては、一つの登録ボタン１１が二軒の居宅７１に対応する。４階の居住フロア７０においては一つの登録ボタン１１が一軒の居宅７１に対応し、５階の居住フロア７０においては二つの登録ボタン１１が一軒の居宅７１に対応する。
【００３４】
図１に示すように、各居宅７１には、インターホン２０と、訪問許可ボタン２１を配置している。インターホン２０は、玄関フロア６０に配した集合玄関機４との間で通話を行うためのものである。訪問許可ボタン２１は、その居宅７１への訪問を許可するためのものである。この訪問許可ボタン２１を操作することで、エレベータ制御システム全体をコントロールするシステム制御部８に対して、訪問許可指令が出力される。
【００３５】
本実施形態のエレベータ制御システムでは、システム制御部８によって、以下に述べるような制御が行われる。図８や図９は、住民が帰宅した際のエレベータ制御について示している。
【００３６】
マンション出入口５０から玄関フロア６０の風除室６１に入った住民はまず、集合玄関機４のカードリーダ６に自らのカードキーをかざして集合玄関扉１を開放させ、集合玄関扉１およびエントランス６２を通過してエレベータホール６３にまで至る。ここで、図８中の（１）に示すように、エレベータホール６３に設置されるカードリーダ６にカードキーをかざすと、住民であることを認証したシステム制御部８が、エレベータ制御部７によりエレベータ籠２を玄関フロア６０に着床させ、一方の扉３を開放させる。
【００３７】
住民は、エレベータ乗降口６４を通じてエレベータ籠２内に乗り込み、操作盤１０を操作する。このとき、操作盤１０では、その住民の居宅玄関７２とつながる側（以下これを「自住戸側」という。）のエレベータ乗降口７３に対応した登録ボタン１１が、所定時間内だけ、ボタン操作により登録可能となる。このとき、いずれの登録ボタン１１が登録可能であるかを住民に通知するため、自住戸側の登録ボタン１１を点滅させる。
【００３８】
住民が自住戸側の登録ボタン１１を押すと、その登録ボタン１１が点灯に切り替わる。エレベータ籠２は、その住民の居宅７１が位置するの居住フロア７０にまで上昇した後、自住戸側のドアウィンカー（図示略）を点灯させたうえで、自宅戸階側の扉３を開放させる。なお、他の登録ボタン１１を押した場合にはそのボタン操作はキャンセルされ、「押された階には止まりません」等の音声出力がされる。
【００３９】
異なるエレベータ乗降口６４を利用する住民が共に認証されているときは、それぞれの自住戸側の登録ボタン１１が共に登録可能となる。なお、同一の居住フロア７０で一対の扉３の両方が開閉される場合でも、一対の扉３が同時に開くことなく、一方の扉３の開閉が完了した後に、他方の扉３が開閉される。
【００４０】
図８中の（２）〜（４）には、自住戸側とは異なるエレベータ乗降口７３に降りてしまった場合の対応を示している。これらの場合には、エレベータ籠２内のカードリーダ６を利用する。
【００４１】
例えば、図８中の（２）のように、誤って自住戸側の反対側のエレベータ乗降口７３に降りてしまった場合には、まずそのエレベータ乗降口７３に設置している乗場呼ボタン（図示略）を押し、エレベータ籠２を呼ぶ。これによりエレベータ籠２がその居住フロア７０着床し、扉３を開く。エレベータ籠２に乗り込んだ住民は、エレベータ籠２内のカードリーダ６にカードキーをかざして住民であることを認証させる。すると、操作盤１０では、自住戸側の登録ボタン１１と、１階の一方の（西側の）登録ボタン１１とが登録可能になる。ここで、自住戸側の登録ボタン１１を押せば、自住戸側の扉３が開き、自宅の居宅玄関７２に通じる側のエレベータ乗降口７３に降りることができる。
【００４２】
ところで、１階は、駐輪場やミニバイク置場、駐車場等の住民用の共用スペースを有しており、居住フロア７０であるとともに、共用フロアともなっている。そのため、操作盤１０においては、エレベータ籠２内のカードリーダ６でいずれかの居宅７１の住民であることを認証したときに、１階の一方のエレベータ乗降口７３が行き先として登録可能となるように設けている。
【００４３】
また、操作盤１０において、地下１階の登録ボタン１１は、常に操作可能である。そのため、玄関フロア６０については、エレベータの利用者が誰であるか関わらず、常にアクセス可能となっている。
【００４４】
図８中の（３）には、４階の住民が誤って３階に降りた場合の対応を示している。この場合、エレベータ乗降口７３の乗場呼ボタンの「△」（昇る）ボタンを押し、エレベータ籠２を呼ぶ。着床したエレベータ籠２に乗り込んだ住民が、エレベータ籠２内のカードリーダ６にカードキーをかざすと、操作盤１０では、自住戸側の登録ボタン１１が登録可能になる。ここで自住戸側の登録ボタン１１を押せばよい。
【００４５】
図８中の（４）には、３階の住民が誤って４階に降りた場合の対応を示している。この場合、エレベータ乗降口７３の乗場呼ボタンの「▽」（降りる）ボタンを押し、エレベータ籠２を呼ぶ。着床したエレベータ籠２に乗り込んだ住民がカードリーダ６にカードキーをかざすと、操作盤１０では、自住戸側の登録ボタン１１と、１階の一方の（西側の）登録ボタン１１とが登録可能になる。ここで自住戸側の登録ボタン１１を押せばよい。
【００４６】
ところで、５階の居住フロア７０は、単一居宅７１ａが位置するだけの単一居住フロア７０ａである。そのため、５階の住民の場合は、他階の住民の場合とは異なるエレベータ制御となる。具体的には、図９中の（１）に示すように、エレベータホール６３のカードリーダ６で５階の住民を認証したときは、５階のエントランス側の登録ボタン１１が、優先的に自動登録される。
【００４７】
第二玄関７５側に降りたい場合は、図９中の（２）に示すように、エレベータ籠２に乗り込んだ後にエントランス側の登録ボタン１１を２回押す等してその登録を解除し、サブエントランス側の登録ボタン１１を押せばよい。エントランス側の登録ボタン１１の登録を解除せずにサブエントランス側の登録ボタン１１を押せば、図９中の（３）に示すように、両側の扉３が順に開閉される。このとき、居宅玄関７２に通じる側の扉３が先に開閉する。
【００４８】
図１０には住民が外出する場合について示している。住民が地下１階のエントランス６２に降りるときは、図１０中の（１）に示すように、その居住フロア７０の乗場呼ボタンの「▽」を押してエレベータ籠２に乗り込み、フリーに登録可能である地下１階の登録ボタン１１を押せばよい。
【００４９】
一方、住民が共有スペースである１階の駐輪場、ミニバイク置場等にいくときには、図１０中の（２）に示すように、その居住フロア７０の乗場呼ボタンの「▽」を押してエレベータ籠２に乗り込み、エレベータ籠２内のカードリーダ６にカードキーをかざして認証を行ったうえで、この認証により登録可能となった１階西側の登録ボタン１１を押せばよい。なお、故意の通り抜けを防ぐため、１階東側の住民は１階西側の登録ボタン１１を押せないように設定してもよい。
【００５０】
図１１には、住民が他の居宅７１を訪問する場合について示している。図１１中の（１）に示すように、住民は乗場呼ボタンの「▽」を押してエレベータ籠２に乗り込み、地下１階の登録ボタン１１を押して、玄関フロア６０にまで一旦降りる。その後は、エントランス６２に設置している集合玄関機４を利用して、通常の来客が風除室６１の集合玄関機４で行う手順と同様の手順により、目的の居宅７１を訪問する。
【００５１】
つまり、一旦降りた住民が、訪問先の居宅７１のインターホン２０との間で、エントランス６２の集合玄関機４を用いて通話を行い、その居宅７１に設置した訪問許可ボタン２１を押してもらう。訪問許可ボタン２１が押されると、エレベータホール６３に配している乗場ボタンが、所定時間だけ操作可能となる。ここで乗場ボタンを押せば、エレベータ籠２がエレベータホール６３に着床し、扉３を開く。エレベータ籠２内の操作盤１０では、訪問許可ボタン２１を操作した居宅７１に対応する登録ボタン１１が、所定時間内だけ登録可能となっている。この登録ボタン１１を押せば、エレベータ籠２が目的先の居住フロア７０に着床して扉３を開き、目的の居宅７１を訪問可能とする。
【００５２】
図１２には、来客が目的の居宅７１を訪問する場合を示している。客が一人の場合、図１２中の（１）に示すように、風除室６１内の集合玄関機４を用いて、訪問先の居宅７１のインターホン２０との間で通話を行い、その居宅７１の訪問許可ボタン２１を押してもらう。訪問許可ボタン２１が押されると、集合玄関扉１のロックが解除され、エレベータホール６３に配している乗場ボタンが、所定時間だけ操作可能となる。ここで乗場ボタンを押せば、エレベータ籠２がエレベータホール６３に着床し、扉３を開く。エレベータ籠２内の操作盤１０では、訪問許可ボタン２１を操作した居宅７１に対応する登録ボタン１１が、所定時間内だけ登録可能となっている。この登録ボタン１１を押せば、目的先を訪問することができる。
【００５３】
一方、複数の客が互いに異なる住戸側を訪問する場合には、エレベータ籠２内の操作盤１０では、複数の居宅７１にそれぞれ対応する登録ボタン１１が、所定時間内だけ登録可能となる。この登録ボタン１１を押せば、それぞれの客が目的先を訪問することができる。
【００５４】
ところで、図１２中の（２）に示すように、例えば３階を訪問する予定の客が間違って１階に降りた場合、その階の乗場呼ボタンを押してエレベータ籠２に乗り込んだうえで、一旦玄関フロア６０にまで降りる。このとき地下１階以外の登録ボタン１１を操作してもキャンセルされ、３回以上キャンセルがあれば「一度地下１階に戻ってください」等の音声案内を行う。風除室６１の集合玄関機４にまで戻った客は、同様の手順をやり直せばよい。
【００５５】
図１３には、二人の客が、同一階の異なる側の扉３を利用する場合を示している。この場合、エレベータ籠２内の操作盤１０では、同一階の両方の登録ボタン１１が所定時間内だけ登録可能となり、この登録ボタン１１を押せば、目的先の住戸側の扉３を通じて、それぞれの客が目的の居宅７１を訪問することができる。客が間違って反対側の扉３から降りた場合、やはり一旦玄関フロアにまで降り、集合玄関機４を用いて同様の手順をやり直す。
【００５６】
図１４には、５階の居宅７１における来客時の対応を、住民側と客側に分けて示している。この居宅７１には、訪問許可ボタン２１として、居宅玄関７２用のボタンと、第二玄関７５用のボタンの、二つを備えている。そして、居宅玄関７２用の訪問許可ボタン２１を操作した場合、エレベータ籠２内の操作盤１０では、居宅玄関７２に対応する側の登録ボタン１１が、所定時間内だけ登録可能となる。第二玄関７５用の訪問許可ボタン２１を操作した場合には、第二玄関７５に対応する側の登録ボタン１１が、所定時間内だけ登録可能となる。
【００５７】
以上説明したように、本実施形態のエレベータ制御システムは、複数の居宅７１が位置する居住フロア７０（１階〜４階フロア）と玄関フロア６０との間を上下移動するようにエレベータ籠２を設置した集合住宅のエレベータ制御システムである。エレベータ籠２には、互いに別方向にむけて開放される複数の扉３と、エレベータ籠２の行き先を登録する操作盤１０とを備えている。玄関フロア６０には、各居宅７１の住民を認証する認証機５を備えている。居住フロア７０には、エレベータ籠２の各扉３が開放される位置に一対一で設置される複数のエレベータ乗降口７３と、各エレベータ乗降口７３を対応する居宅７１の居宅玄関７２につなぐ廊下７４とを備えている。エレベータ籠２の操作盤１０には、各居住フロア７０の複数のエレベータ乗降口７３に一対一で対応する登録ボタン１１を配列している。そして、玄関フロア６０の認証機５で住民を認証したときに、その住民の居宅玄関７２とつながるエレベータ乗降口７３に対応する登録ボタン１１が、所定時間内だけ行き先として登録可能となり、登録操作後に、その住民の居住フロア７０にエレベータ籠２が着床したときには、その住民の居宅玄関７２とつながるエレベータ乗降口７３側の扉３が、開放されるように設けている。
【００５８】
したがって、本実施形態のエレベータ制御システムによれば、住民が自宅側のエレベータ乗降口７３にエレベータ移動することは自由にする一方で、それ以外のエレベータ移動に関しては、制限を加えることができる。そのため、各住民のプライバシーやセキュリティが向上することになる。
【００５９】
また、本実施形態のエレベータ制御システムでは、エレベータ籠２内にも、各居宅７１の住民を認証する認証機５を備えている。そして、エレベータ籠２の操作盤では、エレベータ籠２内の認証機５で住民を認証したときに、その住民の居宅玄関７２とつながるエレベータ乗降口７３に対応する登録ボタン１１が、所定時間内だけ操作可能となるように設けている。
【００６０】
したがって、目的先でないエレベータ乗降口７３に降りてしまったような場合には、エレベータ籠２を呼んでこれに乗り込み、エレベータ籠２内の認証機５を利用して目的先のエレベータ乗降口７３に到達することができる。
【００６１】
また、本実施形態のエレベータ制御システムでは、エレベータ籠２内にも、各居宅７１の住民を認証する認証機５を備え、集合住宅は、住民用の共用スペース（駐輪場、ミニバイク置場等）が位置する共用フロア（１階フロア）を有している。そして、エレベータ籠２の操作盤では、エレベータ籠２内の認証機５で住民を認証したときに、共用フロアのエレベータ乗降口７３に対応する登録ボタン１１が、行き先として登録可能となるように設けている。
【００６２】
したがって、住民であれば、エレベータ籠２内の認証機５を利用して、共同スペースと自宅との間を自由に行き来することができる。
【００６３】
また、本実施形態のエレベータ制御システムにおいて、エレベータ籠２の操作盤１０では、玄関フロア６０に対応する登録ボタン１１を、認証機５での認証結果に関わらず、行き先として登録可能に設けている。
【００６４】
したがって、利用者が誰であるかに関わらず、居住フロア７０から玄関フロア６０には自由に行けるようになっている。
【００６５】
また、本実施形態のエレベータ制御システムにおいて、各居宅７１の住民を認証する認証機５は、居宅７１ごとに設けた専用のカードキーのデータを読み取るカードリーダ６である。
【００６６】
したがって、カードキーをカードリーダ６にかざす等して、認証作業を速やかに行うことができる。また、この専用のカードキーを予め来客に渡しておけば、集合玄関機４を通じて住民が対応する等の面倒な作業なく、来客自らが認証作業を行って目的先に到達することもできる。
【００６７】
また、本実施形態のエレベータ制御システムにおいて、各居宅７１には、インターホン２０と訪問許可ボタン２１とを備えている。玄関フロア６０（風除室６１）には、各居宅７１のインターホン２０と通話可能な集合玄関機４を備えている。そして、各居宅７１の訪問許可ボタン２１を操作したときに、その居宅７１の居宅玄関７２とつながるエレベータ乗降口７３に対応した登録ボタン１１が、所定時間内だけ操作盤１０で行き先として登録可能となり、登録操作後に、その住民の居住フロア７０にエレベータ籠２が着床したときには、その住民の居宅玄関７２とつながるエレベータ乗降口７３側の扉３が、開放されるように設けている。
【００６８】
したがって、来客が訪問先のエレベータ乗降口７３にエレベータ移動することは自由にする一方で、それ以外のエレベータ移動に関しては、制限を加えることができる。そのため、住民のプライバシーやセキュリティが向上することになる。
【００６９】
また、本実施形態のエレベータ制御システムにおいて、エレベータ籠２には扉３を一対備え、居住フロア７０には、エレベータ籠２の各扉３が開放される位置に、エレベータ乗降口７３を一対備えている。
【００７０】
つまり、一対の扉３とこれに対応するエレベータ乗降口７３を利用したエレベータ制御システムにより、各住民のプライバシーやセキュリティを向上させることができる。
【００７１】
また、本実施形態のエレベータ制御システムにおいて、集合住宅は、単一居宅７１ａが位置する単一居住フロア７０ａ（５階フロア）をさらに有する。この単一居住フロア７０ａには、エレベータ籠２の各扉３が開放される位置に一対一で設置される複数のエレベータ乗降口７３と、各エレベータ乗降口７３を単一居宅７１ａが有する居宅玄関７２と第二玄関７５のいずれかにつなぐ廊下７４とを備えている。エレベータ籠２の操作盤１０には、単一居住フロア７０ａの複数のエレベータ乗降口７３に一対一で対応する登録ボタン１１を配列している。そして、玄関フロア６０の認証機５で単一居宅７１ａの住民を認証したときには、その住民の居宅玄関７２とつながるエレベータ乗降口７３に対応する登録ボタン１１が、優先的に自動登録されるように設けている。
【００７２】
したがって、単一居住フロア７０ａの住民は、認証機５での認証作業を行えば、特に登録ボタン１１を操作しなくとも居宅玄関７２にまで至ることができ、利便性が向上する。
【００７３】
また、本実施形態のエレベータ制御システムにおいて、エレベータ籠２には扉３を一対備え、単一居住フロア７０ａには、エレベータ籠２の各扉３が開放される位置に、エレベータ乗降口７３を一対備えている。
【００７４】
つまり、一対の扉３とこれに対応するエレベータ乗降口７３を利用したエレベータ制御システムにより、単一居住フロア７０ａの住民のプライバシーやセキュリティ、さらには利便性を向上させることができる。
【００７５】
以上、本発明を添付図面に示す実施形態に基づいて説明したが、本発明は前記実施形態に限定されるものではなく、本発明の意図する範囲内であれば、適宜の設計変更を行うことが可能である。
【符号の説明】
【００７６】
２  エレベータ籠
３  扉
４  集合玄関機
５  認証機
６  カードリーダ
８  システム制御部
１０  操作盤
１１  登録ボタン
２０  インターホン
２１  訪問許可ボタン
６０  玄関フロア
７０  居住フロア
７１  居宅
７２  居宅玄関
７３  エレベータ乗降口
７４  廊下
７５  第二玄関
【図１】
2012091924.tif 000003
【図２】
2012091924.tif 000004
【図３】
2012091924.tif 000005
【図４】
2012091924.tif 000006
【図５】
2012091924.tif 000007
【図６】
2012091924.tif 000008
【図７】
2012091924.tif 000009
【図８】
2012091924.tif 000010
【図９】
2012091924.tif 000011
【図１０】
2012091924.tif 000012
【図１１】
2012091924.tif 000013
【図１２】
2012091924.tif 000014
【図１３】
2012091924.tif 000015
【図１４】
2012091924.tif 000016